(57)【要約】【課題】ＰＨＳ等の携帯端末が内蔵する時刻表示を、正確な時刻（標準時刻）表示に自動的に修正する時刻データ取得方法を提供する。【解決手段】ＰＨＳ１２は、レイヤ３メッセージ中に含まれるファシリティの空き領域を使用して、ＰＨＳ１２から基地局１４への発呼時に、例えば時刻データ取得フラグ付ＣＣ呼設定メッセージを送信し、これを受信した交換局１６から時刻データを、例えばＣＣ応答メッセージ中に含まれるファシリティの空き領域を使用して送信する。これにより、ＰＨＳ１２のユーザが通話する毎に、ＰＨＳ１２内部の時刻データを正しい時刻に更新してＰＨＳ１２の表示装置に表示可能にする。【選択図】図３
2006033072.tif 000002
【特許請求の範囲】
【請求項１】
内蔵されたクロックに基づき時刻を計算して表示装置に時刻を表示する時刻表示機能を有するＰＨＳに表示する時刻データを、基地局を介して交換局から取得して時刻の不一致を修正する時刻データ取得方法において、
前記時刻データは、レイヤ３メッセージ中に含まれるファシリティの空き領域を使用して取得することを特徴とする時刻データ取得方法。
【請求項２】
前記ファシリティとして、前記ＰＨＳから前記交換局へのＣＣ呼設定メッセージおよび前記交換局から前記ＰＨＳへのＣＣ応答メッセージを使用することを特徴とする請求項１に記載の時刻データ取得方法。
【請求項３】
前記ファシリティとして、切断メッセージを使用することを特徴とする請求項１に記載の時刻データ取得方法。
【請求項４】
前記ファシリティとして、解放メッセージを使用することを特徴とする請求項１に記載の時刻データ取得方法。
【請求項５】
前記ファシリティとして、解放完了メッセージを使用することを特徴とする請求項１に記載の時刻データ取得方法。
【請求項６】
ＰＨＳが内蔵する時刻表示を、基地局を介して正確な時刻データを保持している交換局から取得する正しい時刻に修正する時刻データ取得方法において、
前記ＰＨＳが発信するとき前記交換局に送信されるレイヤ３メッセージ中に時刻データの受信要求を示すフラグを付加することと、前記交換局が前記フラグを認識して前記ＰＨＳに応答する応答メッセージ中に前記正確な時刻データを付加して前記ＰＨＳに送信することと、該送信された時刻データに基づき前記ＰＨＳの時刻データを修正することとを備えることを特徴とする時刻データの取得方法。
【請求項７】
前記時刻データ受信要求フラグは、受信の要否を示す１ビットで構成されることを特徴とする請求項６に記載の時刻データ取得方法。
【請求項８】
前記時刻データ受信要求フラグは、前記ＰＨＳの各発呼に付加され、発呼毎に時刻データを取得することを特徴とする請求項６に記載の時刻データ取得方法。
【発明の詳細な説明】
【技術分野】
【０００１】
本発明は時刻データ取得方法に関し、特に公衆ＰＨＳ（Personal Handy-phone System）の表示装置に表示される時刻表示を取得した正確な時刻に修正して表示させる時刻データ取得方法に関する。
【背景技術】
【０００２】
ＰＨＳ、携帯電話およびＰＤＡ（Personal Digital Assistant）等の携帯端末は、小型軽量であり、現在ではユーザが希望する殆ど全ての場所で、希望する時間に通信して希望する情報の取得、相手との通話又はメールや伝言（メッセージ）等を送信することが可能である。この利便性により、上述の如き携帯端末は急速に普及し、また各種の機能が追加され高性能化している。
【０００３】
更に、デジタル機器である携帯端末は、内部回路の動作基準としてクロックを発生する基準クロック発生器を内蔵する。従って、携帯端末のユーザは、このクロックに基づく時刻を必要時にその表示装置である液晶表示パネル（ＬＣＤ）に表示可能である。携帯端末のユーザは、外部との通信によることなく、この携帯端末の時刻表示により、現在時刻を知ることが可能であるので、腕時計の代わりとすることが可能である。
【０００４】
斯かる携帯端末の時刻表示は、内蔵するクロック発生器に基づき且つクロック発生器は、一般に水晶振動子を使用するので、比較的高精度である。しかし、温度変化や時間の経過と共に不可避的に狂いが生じる。ユーザは、携帯端末の時刻表示が常時可能な限り正確であることを期待する。この課題乃至要求を満足するために、種々の技法が提案又は開示されている。
【０００５】
携帯電話の時刻表示に狂いが生じた場合に、ユーザが手動で修正可能にすると共に、携帯電話からの自動修正要求により、時計データを送信して自動修正可能にする携帯電話内蔵時計の時刻自動修正方法並びにシステムが開示されている（例えば、特許文献１参照。）。また、携帯電話端末が基地局から受信する時計情報により、携帯電話に内蔵された時計回路の表示時刻を自動的に補正する携帯電話端末の時刻補正方法が開示されている（例えば、特許文献２参照。）。更に、地域毎や経年変化によらず、時刻表示が個々の無線端末機で異ならないようにする無線端末機用時刻報知システムが開示されている（例えば、特許文献３参照。）。また、携帯電話又はＰＨＳの日付時刻を、基地局へのアクセス時又は基地局からの情報を受信するとき、自動的に内部時計に設定する携帯電話またはＰＨＳの日付時刻を自動設定する方式が開示されている（例えば、特許文献４参照。）。更にまた、無線電話器の時計の設定が指示されたとき、基地局の所定の電話番号と接続して時計データを取得して内蔵する時計データを取得した時計データに自動的に時刻設定する時計付き無線電話機が開示されている（例えば、特許文献５参照。）。
【０００６】
【特許文献１】特開２００２-１３５４２６号公報（第５頁、第２図）
【特許文献２】特開２００２−２１８５４６号公報（第３頁、第１図、第２図）
【特許文献３】特開２００３-４８７８号公報（第３頁、第１図）
【特許文献４】特開２００３−８７８５９号公報（第５-６頁、第１図、第２図）
【特許文献５】特開平１０-２１５４８７号公報（第２頁、第１図）
【発明の開示】
【発明が解決しようとする課題】
【０００７】
しかし、従来の携帯端末の時刻表示は、正確な時間と狂いが生じたとき又は正確な時間に修正して確認したいとき、ユーザが適宜手動により又は交換局等に接続操作して時刻データを取得して自動修正する必要があり、煩わしかった。
【０００８】
本発明は、従来技術の上述の如き課題に鑑みなされたものであり、例えばユーザが携帯端末を使用する毎に又は一定期間（例えば、１ヶ月）の経過毎に時刻データ取得要求して内蔵時計を修正することにより、斯かる課題を解消又は軽減することが可能な時刻データ取得方法を提供することを目的とする。
【課題を解決するための手段】
【０００９】
前述の課題を解決するため本発明の時刻データ取得方法は次のような特徴的な構成を採用している。
【００１０】
（１）内蔵されたクロックに基づき時刻を計算して表示装置に時刻を表示する時刻表示機能を有するＰＨＳに表示する時刻データを、基地局を介して交換局から取得して時刻の不一致を修正する時刻データ取得方法において、
前記時刻データは、レイヤ３メッセージ中に含まれるファシリティの空き領域を使用して取得する時刻データ取得方法。
【００１１】
（２）前記ファシリティとして、前記ＰＨＳから前記交換局へのＣＣ呼設定メッセージおよび前記交換局から前記ＰＨＳへのＣＣ応答メッセージを使用する上記（１）の時刻データ取得方法。
【００１２】
（３）前記ファシリティとして、切断メッセージを使用する上記（１）の時刻データ取得方法。
【００１３】
（４）前記ファシリティとして、解放メッセージを使用する上記（１）の時刻データ取得方法。
【００１４】
（５）前記ファシリティとして、解放完了メッセージを使用する上記（１）の時刻データ取得方法。
【００１５】
（６）ＰＨＳが内蔵する時刻表示を、基地局を介して正確な時刻データを保持している交換局から取得する正しい時刻に修正する時刻データ取得方法において、
前記ＰＨＳが発信するとき前記交換局に送信されるレイヤ３メッセージ中に時刻データの受信要求を示すフラグを付加することと、前記交換局が前記フラグを認識して前記ＰＨＳに応答する応答メッセージ中に前記正確な時刻データを付加して前記ＰＨＳに送信することと、該送信された時刻データに基づき前記ＰＨＳの時刻データを修正することとを備える時刻データの取得方法。
【００１６】
（７）前記時刻データ受信要求フラグは、受信の要否を示す１ビットで構成される上記（６）の時刻データ取得方法。
【００１７】
（８）前記時刻データ受信要求フラグは、前記ＰＨＳの各発呼に付加され、発呼毎に時刻データを取得する上記（６）の時刻データ取得方法。
【発明の効果】
【００１８】
本発明の時刻データ取得方法によると、次の如き実用上の顕著な効果が得られる。即ち、本発明によると、ユーザは、時刻修正のための特別の操作をすることなく、携帯端末内部の時刻表示を正確な時間に自動的に修正可能である。また、この時刻修正は、例えば１ビットの時刻データ要求フラグにより、ユーザが発呼する毎に自動的に行われるので、携帯端末を使用することにより、正確な時間に修正又は更新される。更に、時刻データ取得には、レイヤ３メッセージ中の、例えばＣＣ呼設定メッセージやＣＣ応答メッセージ等のファシリティの空き領域を使用することにより簡単に実行可能である。
【実施例】
【００１９】
以下、本発明による時刻データ取得方法の好適実施例の構成および動作を、添付図面を参照して詳細に説明する。
【００２０】
先ず、図１は、本発明による時刻データ取得方法を実施する好適実施例であるＰＨＳシステムの全体システム構成図である。この時刻データ取得システム１０は、ＰＨＳ（携帯端末）１２、基地局１４および交換局１６により構成されている。ＰＨＳ１２および基地局１４は、それぞれアンテナ１３、１５を備え、電波により無線通信する。また、基地局１４および交換局１６間は、ケーブル１７で相互接続され有線通信する。
【００２１】
図１に示す時刻データ取得システム１０によると、交換局１６は、正確な時刻データを常時保持している。そして、ＰＨＳ１２および基地局１４間で無線通信する毎に、交換局１６から基地局１４を介してＰＨＳ１２に対して正確な時刻データが送信される。
【００２２】
次に、図２の説明図を参照して、本発明による時刻データ取得方法の概略動作を説明する。図２の上側には従来例を示し、下側に本発明を示す。ＰＨＳ１２は、表示部（以下、ＬＣＤという）１８を備え、基地局１４との間で送受信する各種文字又は図形情報が表示可能である。上側に示す従来例では、ＰＨＳ１２のＬＣＤ１８には、内部クロックに基づき求められた時刻が表示される。この特定例では、ＬＣＤ１８の表示時刻は、１２：３０：４０、即ち１２時３０分４０秒である。これは、右側に示す正しい時刻（標準時刻）である１２：２８：４０、即ち１２時２８分４０秒に対して２分だけ進んでおり、ＰＨＳ１２の表示時刻および標準時刻間は「不一致」であることを示している。
【００２３】
一方、図２の下側に示す本発明によると、ＰＨＳ１２が基地局１４と通信後に、ＰＨＳ１２のＬＣＤ１８の時刻表示は、１２：３４：５６となり、右側に示す標準時刻１２：３４：５６と「一致」し、ＰＨＳ１２のＬＣＤ１８の時刻表示が、通話後に正しい時刻（即ち、標準時刻）表示に補正される。
【００２４】
次に、図３に示すシーケンス図を参照して、本発明による時刻データ取得方法、即ち図１のＰＨＳ１２、基地局１４および交換局１６間の詳細動作を説明する。先ず、ＰＨＳ１２が発呼（発信）すると、基地局１４に対して「ＣＣ呼設定メッセージ」が送信される（ステップＳ１）。このとき、ＰＨＳ１２は、この「ＣＣ呼設定メッセージ」をレイヤ３メッセージとして送信する。
【００２５】
このとき、「ＣＣ呼設定メッセージ」中に、時刻データ（又は時間データ）の受信を要求するフラグを付加する。このフラグは、例えば「０」（受信しない）又は「１」（受信する）の1ビットで構成し、「ＣＣ呼設定メッセージ」のファシリティの予備領域を使用する。図４に、ファシリティの１例を示す。この例では、ファシリティのオクテット３のビット６−７に予備領域がある。
【００２６】
次に、基地局１４から交換局１６に対して、ＰＨＳ１２からの「ＣＣ呼設定メッセージ」が送信され、交換局１６は、「時刻データ取得フラグ」を受信する（ステップＳ２）。交換局１６は、その時刻データを取得するフラグを認識して、基地局１４を介してＰＨＳ１２へ「ＣＣ呼設定受付」を送信する（ステップＳ３）。交換局１６は、この「ＣＣ応答メッセージ」を送出する際に、「ＣＣ応答メッセージ」中のファシリティの予備領域およびプロトコルデータユニット領域（図４参照）を使用して、その中に正しい時刻データを付加して送り返す（ステップＳ４およびステップＳ５）。
【００２７】
図５は、交換局１６から基地局１４を介してＰＨＳ１２へ送り返される時刻データ（又は時間データ）を例示する。この時刻データは、７バイト構成の「年月日曜日時分秒」データである（図５（Ａ）参照）。即ち、オクテット１および２で西暦年号を示す。図５の具体例では、オクテット１のビット５〜８で年の１０００の位の数字０〜９（図５（Ｂ）参照）、ビット４〜１で１００の位の数字０〜９を示す（図５（Ｃ）参照）。一方、オクテット２のビット８〜５で１０の位の数字０〜９（図５（Ｂ）参照）、ビット４〜１で１の位の数字０〜９を示す（図５（Ｃ）参照）。また、オクテット３のビット８〜５で月の数字１〜１２（図５（Ｄ）参照）を、ビット４〜１で曜日（月曜日〜日曜日）を示す（図５（Ｅ）参照）。また、オクテット４で日を示す（即ち、ビット８〜５で１０の位の数字０〜３（図５（Ｆ）参照）、ビット４〜１で１の位の０〜９（図５（Ｃ）参照））。以下、同様にして、オクテット５のビット８〜５でＡＭ／ＰＭ（図５（Ｇ）参照）、ビット４〜１で時の１〜１２、オクテット６で分（図５（Ｈ）参照）、オクテット７で秒（図５（Ｈ）参照）を示す。
【００２８】
ＰＨＳ１２は、「ＣＣ応答メッセージ」のファシリティに含まれる時刻データを認識し、そのデータを参照して現在時刻をカウント（即ち、計算）しているＰＨＳ１２内部のＲＡＭ（Random Access Memory:随時読み書きメモリ）の値を修正し、ＲＡＭの時計データをＬＣＤ１８に表示する。
【００２９】
尚、上述した好適実施例では、「ＣＣ呼設定」および「ＣＣ応答設定」のファシリティを使用して時刻データを送受信する場合について説明した。しかし、ファシリティは、ＣＣ呼設定およびＣＣ応答以外にも、切断、解放、解放完了等のメッセージにも含まれるため、それらのメッセージのファシリティを使用しても実現可能である。
【００３０】
以上、本発明による時刻データ取得方法の好適について説明した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、時刻データ取得フラグは、通話毎又は一定化間（例えば、１週間又は１ヶ月）経過毎に「１」として時刻データを受信するように設定してもよい。
【図面の簡単な説明】
【００３１】
【図１】本発明の時刻データ取得システムの全体システム構成図である。
【図２】ＰＨＳシステムの従来および本発明の動作比較説明図である。
【図３】図１に示す時刻データ取得システムにおいて、ＰＨＳの接続から通話までのレイヤ３メッセージのシーケンス図である。
【図４】ファシリティのデータフォーマットの具体例である。
【図５】時刻データのデータフォーマットの具体例である。
【符号の説明】
【００３２】
１０  時刻データ取得システム
１２  携帯端末（ＰＨＳ）
１４  基地局
１６  交換局
【図１】
2006033072.tif 000003
【図２】
2006033072.tif 000004
【図３】
2006033072.tif 000005
【図４】
2006033072.tif 000006
【図５】
2006033072.tif 000007